【手続補正書】
【提出日】平成24年5月8日(2012.5.8)
【手続補正１】
【補正対象書類名】特許請求の範囲
【補正対象項目名】全文
【補正方法】変更
【補正の内容】
【特許請求の範囲】
【請求項１】
カメラボディと交換レンズとを含むカメラシステムであって、
前記カメラボディは、
前記交換レンズにより形成された被写体像を所定の撮像周期で撮像し、画像データを生成する撮像手段と、
前記撮像周期と相関のある第１の周期を持つ同期信号を生成するボディ制御手段と、
前記生成された同期信号を前記交換レンズに送信する送信手段とを備え、
前記交換レンズは、
フォーカスレンズと、
前記フォーカスレンズを光軸に沿って駆動する駆動手段と、
前記カメラボディから送信された同期信号を受信する受信手段と、
前記交換レンズの動作を制御するレンズ制御手段と、を備え、
前記交換レンズは、
少なくともより高い周波数で前記フォーカスレンズを光軸に沿って微小進退駆動する高速追従モードと、より低い周波数で前記フォーカスレンズを光軸に沿って微小進退駆動する低速追従モードとを含む複数の追従モードに対応可能であり、
前記カメラボディ、若しくは前記交換レンズは、
前記交換レンズの追従モードについてユーザーからの指示を受け付ける受付手段をさらに備え、
前記ボディ制御手段は、さらに、前記受付手段が受け付けた追従モードに基づいて前記第１の周期と異なる第２の周期を示す情報を、前記送信手段を介して前記交換レンズに送信し、
前記レンズ制御手段は、前記カメラボディから送信された前記第２の周期で、前記フォーカスレンズを光軸に沿って微小進退駆動させるよう前記駆動手段を制御し、前記第１の周期で、前記交換レンズ内における前記微小進退駆動とは異なる制御を行う、
カメラシステム。
【請求項２】
前記交換レンズは、前記交換レンズが対応可能な前記微小進退駆動の駆動周期に関する周期情報を予め記憶する記憶手段をさらに備え、
前記ボディ制御手段は、前記交換レンズから前記周期情報を受信し、その受信した周期情報を参照して前記第２の周期を設定する、
請求項１に記載のカメラシステム。
【請求項３】
前記ボディ制御手段は、前記受付手段より高速追従モードが受け付けられたとき、前記交換レンズから受信した前記周期情報のうち周波数が最も高い周期情報を参照して前記第２の周期を設定する
請求項２に記載のカメラシステム。
【請求項４】
前記周期情報は、前記同期信号の周期に対する前記微小進退駆動の際に対応可能な駆動周期の比率を示す情報である、
請求項２または３に記載のカメラシステム。
【請求項５】
前記比率は、１／２、１／４、１／８の少なくともいずれかである、請求項４に記載のカメラシステム。
【請求項６】
カメラボディと交換レンズとを含むカメラシステムであって、
前記カメラボディは、
前記交換レンズにより形成された被写体像を所定の撮像周期で撮像し、画像データを生成する撮像手段と、
前記撮像周期と相関のある第１の周期を持つ同期信号を生成するボディ制御手段と、
前記生成された同期信号を前記交換レンズに送信する送信手段とを備え、
前記交換レンズは、
フォーカスレンズと、
前記フォーカスレンズを光軸に沿って駆動する駆動手段と、
前記カメラボディから送信された同期信号を受信する受信手段と、
前記交換レンズの動作を制御するレンズ制御手段と、を備え、
前記交換レンズは、
少なくともより高い周波数で前記フォーカスレンズを光軸に沿って微小進退駆動する高速追従モードと、より低い周波数で前記フォーカスレンズを光軸に沿って微小進退駆動する低速追従モードとを含む複数の追従モードに対応可能であり、
前記カメラボディ、若しくは前記交換レンズは、
前記交換レンズの追従モードについてユーザーからの指示を受け付ける受付手段をさらに備え、
前記ボディ制御手段は、さらに、前記受付手段が受け付けた追従モードに基づいて第２の周期を持つ第２の同期信号を生成し、前記送信手段を介して前記交換レンズに送信し、
前記レンズ制御手段は、前記カメラボディから送信された前記第２の同期信号に従って、前記フォーカスレンズを光軸に沿って微小進退駆動させるよう前記駆動手段を制御し、前記第１の周期で、前記交換レンズ内における前記微小進退駆動とは異なる制御を行う、
カメラシステム。
【請求項７】
前記交換レンズは、前記交換レンズが対応可能な前記微小進退駆動の駆動周期に関する周期情報を予め記憶する記憶手段をさらに備え、
前記ボディ制御手段は、前記交換レンズから前記周期情報を受信し、その受信した周期情報を参照して前記第２の同期信号を生成する、
請求項６に記載のカメラシステム。
【請求項８】
前記ボディ制御手段は、前記受付手段より高速追従モードが受け付けられたとき、前記交換レンズから受信した前記周期情報のうち周波数が最も高い周期情報を参照して前記第２の同期信号を生成する
請求項７に記載のカメラシステム。
【請求項９】
前記周期情報は、前記同期信号の周期に対する前記微小進退駆動の際に対応可能な駆動周期の比率を示す情報である、
請求項７または８に記載のカメラシステム。
【請求項１０】
前記比率は、１／２、１／４、１／８の少なくともいずれかである、請求項９に記載のカメラシステム。
【請求項１１】
少なくともより高い周波数でフォーカスレンズを光軸に沿って微小進退駆動する高速追従モードと、より低い周波数で前記フォーカスレンズを光軸に沿って微小進退駆動する低速追従モードとを含む複数の追従に対応可能である交換レンズが装着可能なカメラボディであって、
前記交換レンズにより形成された被写体像を所定の撮像周期で撮像し、画像データを生成する撮像手段と、
前記撮像周期と相関のある第１の周期を持つ同期信号を生成するボディ制御手段と、
前記生成された同期信号を前記交換レンズに送信する送信手段とを備え、
前記カメラボディ、若しくは前記交換レンズは、
前記交換レンズの追従モードについてユーザーからの指示を受け付ける受付手段をさらに備え、
前記ボディ制御手段は、
さらに、前記受付手段が受け付けた追従モードに基づいて前記第１の周期と異なる第２の周期を示す情報を、前記送信手段を介して前記交換レンズに送信する、
カメラボディ。
【請求項１２】
前記ボディ制御手段は、前記交換レンズから、前記交換レンズが対応可能な前記微小進退駆動の駆動周期に関する周期情報を受信し、その受信した周期情報を参照して前記第２の周期を設定する、
請求項１１記載のカメラボディ。
【請求項１３】
前記ボディ制御手段は、前記受付手段より高速追従モードが受け付けられたとき、前記交換レンズから受信した前記周期情報のうち周波数が最も高い周期情報を参照して前記第２の周期を設定する
請求項１２に記載のカメラボディ。
【請求項１４】
前記周期情報は、前記同期信号の周期に対する前記微小進退駆動の際に対応可能な駆動周期の比率を示す情報である、
請求項１２または１３に記載のカメラボディ。
【請求項１５】
前記比率は、１／２、１／４、１／８の少なくともいずれかである、請求項１４に記載のカメラボディ。
【請求項１６】
カメラボディに装着可能な交換レンズであって、
フォーカスレンズと、
前記フォーカスレンズを光軸に沿って駆動する駆動手段と、
前記カメラボディから送信された第１の周期を有する同期信号を受信する受信手段と、
前記交換レンズの動作を制御するレンズ制御手段と、を備え、
前記交換レンズは、
少なくともより高い周波数で前記フォーカスレンズを光軸に沿って微小進退駆動する高速追従モードと、より低い周波数で前記フォーカスレンズを光軸に沿って微小進退駆動する低速追従モードとを含む複数の追従モードに対応可能であり、
前記カメラボディ、若しくは前記交換レンズは、
前記交換レンズの追従モードについてユーザーからの指示を受け付ける受付手段をさらに備え、
前記受信手段は、
さらに前記受付手段が受け付けた追従モードに対応する第２の周期を示す情報を前記カメラボディから受信し、
前記レンズ制御手段は、
前記カメラボディから送信された前記第２の周期で、前記フォーカスレンズを光軸に沿って微小進退駆動させるよう前記駆動手段を制御し、前記第１の周期で、前記交換レンズ内における前記微小進退駆動とは異なる制御を行う、
交換レンズ。
【請求項１７】
前記交換レンズは、前記交換レンズが対応可能な前記微小進退駆動の駆動周期に関する周期情報を予め記憶する記憶手段をさらに備え、
前記ボディ制御手段は、前記交換レンズから前記周期情報を受信し、その受信した周期情報を参照して前記第２の周期を設定する、
請求項１６に記載の交換レンズ。
【請求項１８】
前記カメラボディは、前記交換レンズの追従モードについてユーザーより高速追従モードが選択されたとき、前記交換レンズから受信した前記周期情報のうち周波数が最も高い周期情報を参照して前記第２の周期を設定する、
請求項１７に記載の交換レンズ。
【請求項１９】
前記周期情報は、前記同期信号の周期に対する前記微小進退駆動の際に対応可能な駆動周期の比率を示す情報である、
請求項１７または１８に記載の交換レンズ。
【請求項２０】
前記比率は、１／２、１／４、１／８の少なくともいずれかである、請求項１９に記載の交換レンズ。
【請求項２１】
カメラボディと交換レンズとを含むカメラシステムであって、
前記カメラボディは、
前記交換レンズにより形成された被写体像を所定の撮像周期で撮像し、画像データを生成する撮像手段と、
前記撮像周期と相関のある第１の周期を持つ同期信号を生成するボディ制御手段と、
前記生成された同期信号を前記交換レンズに送信する送信手段とを備え、
前記交換レンズは、
フォーカスレンズと、
前記フォーカスレンズを光軸に沿って駆動する駆動手段と、
前記カメラボディから送信された同期信号を受信する受信手段と、
前記交換レンズの動作を制御するレンズ制御手段と、
前記交換レンズが対応可能な前記微小進退駆動の駆動周期に関する周期情報を予め記憶する記憶手段を備え、
前記ボディ制御手段は、さらに、前記交換レンズから前記周期情報を受信し、その受信した周期情報を参照して第２の周期を持つ第２の同期信号を生成して前記交換レンズに送信し、
前記レンズ制御手段は、前記第２の同期信号に従って、前記フォーカスレンズの位置を前記光軸に沿って微小進退駆動させるよう前記駆動手段を制御し、前記第１の周期で、前記交換レンズ内における前記微小進退駆動とは異なる制御を行う、
カメラシステム。
【請求項２２】
前記周期情報は、前記同期信号の周期に対する前記微小進退駆動の際に対応可能な駆動周期の比率を示す情報である、
請求項２１に記載のカメラシステム。
【請求項２３】
前記比率は、１／２、１／４、１／８の少なくともいずれかである、請求項２２に記載のカメラシステム。